(57)【要約】【課題】      流れの横断面を噴流状に狭めることなく、装置から出る水の流れの方向を設定することができる装置を提供することである。【解決手段】  案内羽根リングとして構成されており、かつ案内羽根の外側端部上にリング状の軸受シェルを有しており、この軸受シェルが、動作するために、球体表面セグメントとして構成されている収容装置の滑り表面と、取付けリングの凹形の接触表面との間の決まった場所に保持されている、案内部材を有する装置により達せられる。【選択図】    図１
2005312909.tif 000002
【特許請求の範囲】
【請求項１】
浴槽本体を有する衛生的な浴槽内においてマッサージ流を発生させる装置において、
衛生的な浴槽の浴槽本体内の開口部に取付けることが出きる収容装置を備え、前記収容装置が駆動シャフトを有する電動モーターを収容しており、
プロペラを備え、このプロペラが駆動シャフトに取付けられたハブと、ハブを中心にして半径方向に設けられた羽根とを有しており、
収容装置上に設けられたロゼットを備え、前記ロゼットが中央出口開口部だけでなく縁部側流入開口部を有しており、
および案内部材を備え、この案内部材が出口開口部内に設けられ、かつ案内羽根の外側端部においてリング状軸受シェルを有する案内羽根リングを備えており、前記シェルが球状表面セグメントとして構成された収容装置の滑り表面と、ロゼットの凹形の接触表面との間で動作しており、
装置が衛生的な浴槽内に取付けられている場合に、プロペラが衛生的な浴槽内にある水を流入開口部を通して引き込み、かつそれに続いて、ハブ軸線（Ｘ）に対して旋回することができる案内部材を介して水を搬送し、衛生的な浴槽内に戻すように構成されていることを特徴とする装置。
【請求項２】
ロゼットが内側ネジ山と外側ネジ山を備えたリング状連結稜部を有しており、このリング状連結稜部が収容装置上で取付け稜部と相互に作用しており、かつ収容装置上にロゼットを取付けるように構成されていることを特徴とする請求項１記載の装置。
【請求項３】
軸受シェルが球体表面セグメントと相互に作用するスリーブを備えており、かつ案内羽根の外側端部上に形成された軸受シェルの収容リング内に取付けられていることを特徴とする請求項１記載の装置。
【請求項４】
案内羽根リングが中央流路開口部を有する内側リングを備え、そこで案内羽根が前記内側リングの外側に形成されていることを特徴とする請求項１記載の装置。
【請求項５】
さらに内側リングの通路開口部内に設けられた流れ案内部材を備え、この案内部材が内側リング上に形成されていることを特徴とする請求項４記載の装置。
【請求項６】
ロゼットが多数の部品で形成されており、かつ開口部を備えた内側取付けリングだけでなく、流入開口部を備えた外側リングも有しており、前記内側取付けリングが外側リングと連結していることを特徴とする請求項１記載の装置。
【請求項７】
さらに空気を引き込むための、および収容装置内に設けられている流路を備え、空気が流路を出た後プロペラのハブ内に設けられた空気路を貫流し、かつ水流と一緒に出口開口部を貫流すること、およびファンブレードが空気路内に設けられており、空気の流入を促進することを特徴とする請求項１記載の装置。
【請求項８】
空気路がリング状であり、かつハブ軸線に対して同心であることを特徴とする請求項７記載の装置。
【発明の詳細な説明】
【技術分野】
【０００１】
本発明は、衛生的な浴槽内においてマッサージ流を発生させる装置に関する。特に本発明は、駆動シャフトを有する電動モーターを収容するために、衛生的な浴槽の浴槽本体内の開口部に取付けることができる収容装置を備え、
プロペラを備え、このプロペラが駆動シャフトに取付けられたハブと、ハブを中心にして半径方向に設けられた羽根を有しており、
およびロゼットを備え、このロゼットが衛生的な浴槽内に置かれた収容装置上に設けられており、中央出口開口部だけでなく縁部側流入開口部を有している様式の装置に関する。プロペラは衛生的な浴槽内にある水を流入開口部を通して引き込み、続いて出口開口部内に設けられた、ハブ軸線に対して旋回することができる案内部材を介して水を搬送し、衛生的な浴槽内に戻す。
【背景技術】
【０００２】
冒頭に記載した特徴を有する装置は、特許文献１に記載されている。この特許文献において、案内部材は噴流形状に狭まる出口端部を有する鐘状体として形成されており、プロペラは鐘状体内部に設けられている。このような配設は設計と組立技術の面から見て複雑である。さらに、マッサージ噴流用の出口断面が相対的に小さいのは不十分である。
【特許文書】
【０００３】
ドイツ特許発明第１９８３４３４１号明細書
【発明の開示】
【発明が解決しようとする課題】
【０００４】
従って本発明の課題は、流れの横断面を噴流状に狭めることなく、装置から出る水の流れの方向を設定することができる装置を提供することである。
【課題を解決するための手段】
【０００５】
上記の課題は、本発明によれば、案内羽根リングとして構成されており、かつ案内羽根の外側端部上にリング状の軸受シェルを有しており、この軸受シェルが、動作するために、球体表面セグメントとして構成されている収容装置の滑り表面と、ロゼットの凹形の接触表面との間の決まった場所に保持されている、案内部材を有する装置により達せられる。案内羽根リングにより、装置から出るマッサージ噴流を、大きな旋回角度においてでも所望の方向へ正確に偏向させることが保証される。組立の間に、案内部材は球体表面セグメント上で簡単に据付けられ、続いてロゼットが収容装置上へネジ止めされる。ロゼットは内側ネジ山と外側ネジ山を備えたリング状連結稜部を有しており、このリング状連結稜部は、収容装置上で取付け稜部と相互に作用しており、かつ収容装置上にロゼットを取付けることが好ましい。ネジ連結部を適切に締め付けることにより、案内羽根リングのクランプ力は正確に調節することができる。軸受シェルは球体表面セグメントと相互に作用するスリーブを備えており、かつ案内羽根の外側端部上に形成された軸受シェルの収容リング内に取付けられている。案内羽根リングは中央流路開口部を有する内側リングを備え、そこで案内羽根は外側に形成されているのが好ましい。流れ案内部材は内側リングの通路開口部内に設けることができ、流れ案内部材は内部リング上に形成されている。流れ案内部材により、マッサージ流が通路開口部を通って流れるので、マッサージ流の調節ができ、かつこれにより流れ案内部材はマッサージ流を案内羽根リングの軸線に対して平行な方向に案内する。同様に、流れ案内部材はそれ自体壁厚が流れ方向で増すリング状の稜部を備えており、従ってマッサージ流はこの領域内においてそれ相当に加速される。その厚さが流れ方向で増す厚さ変化輪郭部をこの稜部内の中心に設けることができる。流れ案内部材だけでなく、案内羽根やリング状稜部も一体の射出モールド部品として形成することができる。
【０００６】
旋回位置は案内羽根リング上で圧力により変化が可能であり、案内羽根リングはその弾性的挙動のために所望の位置にとどまっていることが好ましい。弾性的挙動は案内羽根リングのスリーブおよび／または残余部の適切な材料を選択することにより得られる。
ロゼットは多数の部品から形成されており、かつ出口開口部を備えた内側取付けリングだけでなく、流入開口部を備えた外側リングを有しており、この内側取付けリングは外側リングと連結していることが好ましい。
【０００７】
本発明の好ましい実施例によれば、プロペラを使用して、大気を同時に引き込むための流路は収容装置内に設けられている。空気は流路を出た後ハブ内に設けられた空気路を貫流し、かつ水流と一緒に出口開口部を貫流する。ファンブレードは空気路内に設けられており、空気の流入を促進する。空気路はリング状であるように形成されていて、かつハブ軸線に対して同心であることが好ましい。逆流防止体は流路の空気流入開口部の前方に設けられており、それに対して空気取入れ栓は上流で連結している。作動部材と連結したバルブによってか、あるいは個別の回転ノブにより、空気の供給を任意に行ったり止めたりできることが好ましい。
【０００８】
本発明のその他の目的および特徴は、添付の図面に関連した、後に続く詳細な説明から明らかになる。しかしながら、添付の図面は本発明の実例として描かれているだけで、本発明の限界の定義として描かれてはいない。
【発明を実施するための最良の形態】
【０００９】
本発明の一実施例を図示し、詳細を以下に説明する。
【実施例】
【００１０】
図に関して詳しく言うと、この図は収容装置５を備え、この収容装置が駆動シャフト７を有した電動モーター６を収容するために、浴槽本体４内の開口部３に取付けることができ、プロペラ８を備え、このプロペラがぶら下げた状態で駆動シャフト７に取付けられたハブ９を有している様式の、衛生的な浴槽２内においてマッサージ流１を発生させる装置を示す。ハブ９を中心にして半径方向に設けられた羽根１０と、衛生的な浴槽２内に置かれた収容装置５上に設けられており、中央出口開口部１３だけでなく縁部側流入開口部１２を有しているロゼット１１とがある。ロゼット１１は二つの部分で形成されており、かつ出口開口部１３を有する内側取付リング４３だけでなく、流入開口部１２を有する外側リング４２を備えており、この内側取付リングは外側リング４２と連結している。プロペラ８は流入開口部１２を通して衛生浴槽２内にある水を引き込み、続いて出口開口部１３内に設けられた案内部材１４を介して水を搬送し、衛生浴槽２内に戻す。この案内部材はハブ軸線Ｘに対して旋回することができる。収容装置５は引き込まれてきた水の流れを案内するための流れ空域１５を有する。
【００１１】
さらに収容装置５は多数の部品の中で形成されており、かつ浴槽本体４に取付けることができる軸受シールド４５だけでなくモーター収容部４４も備えており、この軸受シールドはモーター収容部４４と連結している。案内部材１４は案内羽根リングとして形成されており、かつ案内羽根１６の外側端部上にリング状の軸受シェル１７を有しており、この軸受シェルは、動作するために、球体表面セグメント１８として形成されている収容装置５の滑り表面と、取付けリング４３の凹形の接触表面１９との間の決まった場所に保持されている。ロゼット１１の取付けリング４３は、ネジ連結部２０により収容装置５と連結している。ここで、取付けリング４３は、収容装置５上において取付け稜部３９と相互に作用する外側ネジ山を有しており、かつ収容装置５にロゼット１１を取付ける。同時に、稜部３９により流れ空域１５は流入開口部１２へと続く流入路４０と、マッサージ流１のための出口路４１に分岐する。この出口路は出口開口部１３の上流に設けられている。ネジ連結部２０を適切に締め付けることにより、案内羽根リング１４のクランプ力は正確に調節することができる。
【００１２】
案内羽根リング１４は中央通過開口部２２を有する内側リング２１を備え、そこで案内羽根１６は外側に形成されている。流れ案内部材２３は内部リング２１の内側に形成されている（図３ａと３ｃを参照のこと）。流れ案内部材２３により、マッサージ流１が通過開口部２２を通って流れるので、マッサージ流の調節ができ、かつこの流れ案内部材により、マッサージ流１は通過開口部２２内において案内羽根リング１４の軸線Ｙに対して平行な方向に偏向する。流れ案内部材２３は、外形厚さが流れ方向で増すリング状の稜部２４を備えている。リング状の稜部２４の内側において、厚さが流れ方向で増す厚さ変化輪郭部２５（図１）が形成されている。
【００１３】
図３ａ，３ｃおよび３ｄから、案内羽根１６の一部は主流方向に対して斜めに配置されており、かつ案内羽根により流れ方向が軸方向に変わることがわかる。典型的な実施例において、他の案内羽根１６は全てこのようにして形成されている。さらに、案内羽根リング１４の中央直径領域内において、周辺強化リング２６が案内羽根１６上に形成されている。図１および２との比較から、回転位置が案内羽根リング１４上での圧力により変化できることと、案内羽根リング１４がその弾性的挙動のために所望の位置にとどまっていることは明らかである。この目的で、軸受シェル１７は弾性スリーブ２７を備えており、この弾性スリーブは球体表面セグメント１８と相互に作用し、かつ一体で案内羽根１６の外側端部上に形成された軸受シェル１７の収容リング２８内に取付けられている（図１と図３ｂ参照）。
【００１４】
さらに、図１および２から、プロペラ８を使用して、大気３０を同時に引き込むための流路２９が収容装置５内に設けられていることがわかる。空気１５は流路２９を出た後、ハブ９内に配置された、ハブ軸線Ｘに対して同心のリング状空気路３１を貫流し、かつ水流と一緒に出口開口部１３を貫流する（図４ｂ参照）。空気路３１はリング間隙３２内に、空気３０の取入れを促進するファンブレード３３を備えている（図１および４ａを参照のこと）。逆流防止機構３５が流路２９の空気流入開口部３４の前方に設けられており、この逆流防止機構に対して空気流入栓３６は上流で連結している。（図示していない）作動部材と連結したバルブにより、空気の供給を任意に行ったり止めたりすることができる。
【００１５】
従って、本発明のほんの数少ない実施例を示しかつ説明したが、数多くの変更や変形が、本発明の精神および範囲から外れずに作られてもよいことは明らかである。
【図面の簡単な説明】
【００１６】
【図１】プロペラと案内羽根リングを備えた三次元横断面図における、本発明による装置を示す。
【図２】別の位置に旋回した図である。
【図３ａ】図１に示した案内羽根リングの矢視図Ａを示す。
【図３ｂ】図３ａの側面図を示す。
【図３ｃ】案内羽根リングの三次元図を示す。
【図３ｄ】案内羽根リングの三次元図を示す。
【図４ａ】図１に示したプロペラの矢視図Ａを示す。
【図４ｂ】図４ａの側面図を示す。
【符号の説明】
【００１７】
１      マッサージ流  
２      衛生的な浴槽  
３      開口部        
４      浴槽本体      
５      収容装置      
６      電動モーター  
７      駆動シャフト  
８      プロペラ      
９      ハブ          
１０    羽根          
１１    ロゼット      
１２    縁側流入開口部  
１３    中央出口開口部  
１４    案内部材      
１５    流れ空域      
１６    案内羽根      
１７    リング状軸受シェル  
１８    球体表面セグメント  
１９    凹部接触表面    
２０    ネジ連結部      
２２    中央通過開口部    
２３    流れ案内部材
【図１】
2005312909.tif 000003
【図２】
2005312909.tif 000004
【図３ａ】
2005312909.tif 000005
【図３ｂ】
2005312909.tif 000006
【図３ｃ】
2005312909.tif 000007
【図３ｄ】
2005312909.tif 000008
【図４ａ】
2005312909.tif 000009
【図４ｂ】
2005312909.tif 000010